(57)【要約】【課題】ひねり部と曲げ部とを隣り合わせ状態に備えた金物において、ひねり部におけるひねりと、曲げ部における曲げを容易にしかも確実に行うことができる金物を提供する。【解決手段】帯板状の金属プレートでつくられた金物１であって、幅方向の両側部において側方に開かれた対の線状切欠き部８ａ，８ａが幅方向の中央側に延ばされ、これら切欠き部８ａ，８ａ間をひねり用の連接板部８ｂとしたひねり部８と、幅方向に延びる線状の強度劣弱部で形成された曲げ部７とが、隣り合わせ状態に備えられ、ひねり部８のひねり用連接板部８ｂに長さ方向に延びる曲げ阻止用の補強リブ１０が設けられている。【選択図】      図１
2008144460.tif 000002
【特許請求の範囲】
【請求項１】
帯板状の金属プレートでつくられ、
断熱材の厚さ方向の一方の側に備えられた下地に取り付けられる取付け部と、
断熱材の厚さ方向のもう一方の側で断熱材を下地に沿わせた状態に固定する断熱材固定部と、
前記取付け部と断熱材固定部とをつないで断熱材の厚さ方向に延ばされる中間部と
を備えた断熱材固定金物であって、
前記取付け部と中間部との間に、ひねり部と曲げ部とが、隣り合わせ状態に備えられ、
ひねり部は、前記帯板状の金属プレートの幅方向の両側部において側方に開かれた対の切欠き部又は切込み部が幅方向の中央側に延ばされ、これら切欠き部間又は切込み部間をひねり用の連接板部としたものからなり、
曲げ部は、幅方向に延びる線状の強度劣弱部で形成されており、
前記ひねり部のひねり用連接板部には長さ方向に延びる曲げ阻止用の補強リブが設けられ、
前記ひねり部と曲げ部とを挟む両側に力を加えて曲げ力を付与した際、前記リブの補強作用によって、ひねり部の連接板部で曲がることなく、曲げ部で曲がるようになされていると共に、
前記ひねり部と曲げ部とを挟む両側に力を加えてひねり力を付与した際、曲げ部でひねられることなく、ひねり部でひねられるようになされていることを特徴とする断熱材固定金物。
【請求項２】
前記取付け部が、取付け用の折返し状引掛け部を備えたものからなっている請求項１に記載の断熱材固定金物。
【請求項３】
前記取付け部が、取付け孔を備えたものからなっている請求項１又は２に記載の断熱材固定金物。
【請求項４】
前記断熱材固定部が、帯板状の金属プレートの幅方向の中間部において該プレートの長さ方向に延ばされ、先端部で外方に開かれた線状切欠き部又は切込み部を挟む各側で構成され、これら各側を異なる方向に曲げて断熱材の正面側に沿わせることで断熱材を固定するようになされたものからなっている請求項１乃至３のいずれか一に記載の断熱材固定金物。
【請求項５】
帯板状の金属プレートでつくられた金物であって、
ひねり部と曲げ部とが、隣り合わせ状態に備えられ、
ひねり部は、前記帯板状の金属プレートの幅方向の両側部において側方に開かれた対の切欠き部又は切込み部が幅方向の中央側に延ばされ、これら切欠き部間又は切込み部間をひねり用の連接板部としたものからなり、
曲げ部は、幅方向に延びる線状の強度劣弱部で形成されており、
前記ひねり部のひねり用連接板部には長さ方向に延びる曲げ阻止用の補強リブが設けられ、
前記ひねり部と曲げ部とを挟む両側に力を加えて曲げ力を付与した際、前記リブの補強作用によって、ひねり部の連接板部で曲がることなく、曲げ部で曲がるようになされていると共に、
前記ひねり部と曲げ部とを挟む両側に力を加えてひねり力を付与した際、曲げ部でひねられることなく、ひねり部でひねられるようになされていることを特徴とする金物。
【請求項６】
前記曲げ部を構成する線状の強度劣弱部が、前記帯板状の金属プレートの幅方向の両側部において閉じられた孔の列又は１本のスリット孔からなっている請求項１乃至５のいずれか一に記載の金物。
【発明の詳細な説明】
【技術分野】
【０００１】
本発明は、断熱材固定金物及び金物に関する。
【背景技術】
【０００２】
住宅等の建物における断熱材の固定金物として、従来より種々のものが提供されているが、断熱材を沿わせる背面側の下地材の種類が異なったり、下地材の向きが異なるなどすると、それに応じて固定金物も変更しなければならず、コストが高くついてしまいやすいという問題がある。
【特許文献１】特開平９−４１５１１号公報
【発明の開示】
【発明が解決しようとする課題】
【０００３】
本発明は、上記のような問題点に鑑み、断熱材を沿わせる背面側の下地材の種類や向きが異なっても、一種類で複数の異なりに対応することができ、しかも、その対応を容易で確実に行うことができる断熱材固定金物を提供することを第１の課題とする。
【０００４】
また、本発明は、ひねり部と曲げ部とを隣り合わせ状態に備えた金物において、ひねり部におけるひねりと、曲げ部における曲げを容易にしかも確実に行うことができる金物を提供することを第２の課題とする。
【課題を解決するための手段】
【０００５】
上記の第１，第２の課題は、帯板状の金属プレートでつくられ、
断熱材の厚さ方向の一方の側に備えられた下地に取り付けられる取付け部と、
断熱材の厚さ方向のもう一方の側で断熱材を下地に沿わせた状態に固定する断熱材固定部と、
前記取付け部と断熱材固定部とをつないで断熱材の厚さ方向に延ばされる中間部と
を備えた断熱材固定金物であって、
前記取付け部と中間部との間に、ひねり部と曲げ部とが、隣り合わせ状態に備えられ、
ひねり部は、前記帯板状の金属プレートの幅方向の両側部において側方に開かれた対の切欠き部又は切込み部が幅方向の中央側に延ばされ、これら切欠き部間又は切込み部間をひねり用の連接板部としたものからなり、
曲げ部は、幅方向に延びる線状の強度劣弱部で形成されており、
前記ひねり部のひねり用連接板部には長さ方向に延びる曲げ阻止用の補強リブが設けられ、
前記ひねり部と曲げ部とを挟む両側に力を加えて曲げ力を付与した際、前記リブの補強作用によって、ひねり部の連接板部で曲がることなく、曲げ部で曲がるようになされていると共に、
前記ひねり部と曲げ部とを挟む両側に力を加えてひねり力を付与した際、曲げ部でひねられることなく、ひねり部でひねられるようになされていることを特徴とする断熱材固定金物によって解決される（第１発明）。
【０００６】
この断熱材固定金物では、取付け部と中間部との間に、ひねり部と曲げ部とが隣り合わせ状態に備えられているので、金物をひねり部でひねったり、曲げ部で曲げることにより、取付け部を、断熱材を沿わせる背面側の下地材の種類や向きに応じた姿勢状態にして下地材に取り付けることができ、一種類で複数の異なりに対応することができて、金物コストを低く抑えることができる。
【０００７】
しかも、ひねり部は、帯板状の金属プレートの幅方向の両側部において側方に開かれた対の切欠き部又は切込み部が幅方向の中央側に延ばされ、これら切欠き部間又は切込み部間をひねり用の連接板部としたものからなり、ひねり用連接板部には、長さ方向に延びる曲げ阻止用の補強リブが設けられ、曲げ部は、幅方向に延びる線状の強度劣弱部からなって、ひねり部と曲げ部とを挟む両側に力を加えて曲げ力を付与した際、前記リブの補強作用によって、ひねり部の連接板部で曲がることなく、曲げ部で曲がるようになされており、また、ひねり部と曲げ部とを挟む両側に力を加えてひねり力を付与した際、曲げ部でひねられることなく、ひねり部でひねられるようになされているので、曲げ部とひねり部とを隣り合わせ状態に備えたものでありながら、曲げ部での曲げとひねり部でのひねりを容易、確実に行うことができ、上記のような複数種類の異なりへの対応を容易にすることができる。
【０００８】
第１発明において、前記取付け部が、取付け用の折返し状引掛け部を備えたものからなっている場合（第２発明）は、上記のような隣り合わせ状態に備えさせたひねり部におけるひねりと、曲げ部における曲げのいずれか一方又は両方を必要に応じて行うことによって、折返し状引掛け部を下地材の種類や向きに応じて引掛け可能な向きに容易に向けることができる。
【０００９】
また、第１，第２発明において、前記取付け部が、取付け孔を備えたものからなっている場合は、上記のような隣り合わせ状態に備えさせたひねり部のおけるひねりと、曲げ部における曲げのいずれか一方又は両方を必要に応じて行うことによって、取付け孔を下地材の種類や向きに応じて取付け可能な向きに容易に向けることができる。
【００１０】
第１，第２，第３発明において、前記断熱材固定部が、帯板状の金属プレートの幅方向の中間部において該プレートの長さ方向に延ばされ、先端部で外方に開かれた線状切欠き部又は切込み部を挟む各側で構成され、これら各側を異なる方向に曲げて断熱材の正面側に沿わせることで断熱材を固定するようになされたものからなっているとよい（第４発明）。
【００１１】
この場合は、切欠き部又は切込み部を挟む各側を異なる方向に曲げて断熱材の正面側に沿わせるようにするだけで断熱材を固定でき、断熱材の固定を容易にしかも能率良く行っていくことができる。また、切欠き部又は切込み部を挟む両側を異なる方向に曲げる前に、下地材への断熱材の設置を行うことができ、断熱材の設置を断熱材固定部に妨げられることなく容易に行うことができる。なお、第４発明における断熱材固定部に関する限定事項は、それ自体でも、一つの発明概念を構成するものでもある。
【００１２】
また、上記の第２の課題は、帯板状の金属プレートでつくられた金物であって、
ひねり部と曲げ部とが、隣り合わせ状態に備えられ、
ひねり部は、前記帯板状の金属プレートの幅方向の両側部において側方に開かれた対の切欠き部又は切込み部が幅方向の中央側に延ばされ、これら切欠き部間又は切込み部間をひねり用の連接板部としたものからなり、
曲げ部は、幅方向に延びる線状の強度劣弱部で形成されており、
前記ひねり部のひねり用連接板部には長さ方向に延びる曲げ阻止用の補強リブが設けられ、
前記ひねり部と曲げ部とを挟む両側に力を加えて曲げ力を付与した際、前記リブの補強作用によって、ひねり部の連接板部で曲がることなく、曲げ部で曲がるようになされていると共に、
前記ひねり部と曲げ部とを挟む両側に力を加えてひねり力を付与した際、曲げ部でひねられることなく、ひねり部でひねられるようになされていることを特徴とする金物によって解決される（第５発明）。
【００１３】
この金物では、第１発明で述べたのと同様の理由により、曲げ部での曲げとひねり部でのひねりを容易にしかも確実に行うことができる。
【００１４】
第１〜第５発明において、前記曲げ部を構成する線状の強度劣弱部が、前記帯板状の金属プレートの幅方向の両側部において閉じられた孔の列又は１本のスリット孔からなっているとよい（第６発明）。この場合は、曲げ部の強度劣弱部を構成する孔の列又は１本のスリット孔が、金属プレートの幅方向の両側部において閉じられているので、ひねり部と曲げ部とを挟む両側に力を加えてひねり力を付与した際、曲げ部においてひねられてしまうのを構造的に確実に防ぐことができる。
【発明の効果】
【００１５】
本発明の断熱材固定金物は、以上のとおりのものであるから、断熱材を沿わせる背面側の下地材の種類や向きが異なっても、一種類で複数の異なりに対応することができ、しかも、その対応を容易で確実に行うことができる。
【００１６】
また、本発明の金物は、ひねり部におけるひねりと、曲げ部における曲げとを容易にしかも確実に行うことができる。
【発明を実施するための最良の形態】
【００１７】
次に、本発明の実施最良形態を図面に基づいて説明する。
【００１８】
図１（イ）〜（ニ）に示す実施形態の金物１は、断熱材固定用の金物であり、帯板状の金属プレートでつくられている。この金物１は、その一端側を取付け部２とし、他端側を断熱材固定部とし、これら取付け部２と断熱材固定部３との間を板状の中間部４とし、取付け部２と中間部４との間には、ひねり部８と曲げ部７とが、ひねり部８を中間部４側、曲げ部７を取付け部２側に位置させるようにして、隣り合わせ状態に備えられている。
【００１９】
ひねり部８は、帯板状の金属プレートの幅方向の両側部において側方に開かれた対のスリット状切欠き部８ａ，８ａが幅方向の中央側に延ばされ、これら切欠き部８ａ，８ａ間をひねり用の連接板部８ｂとしたものからなっていて、該ひねり用連接板部８ｂには、長さ方向に延びる曲げ阻止用の補強リブ１０がプレス加工等により設けられている。
【００２０】
曲げ部７は、幅方向に延びる線状の強度劣弱部で形成され、該強度劣弱部は、帯板状の金属プレートの幅方向の両側部において閉じられた孔７ａ…の列からなっている。
【００２１】
そして、ひねり部８と曲げ部７とを挟む両側に力を加えて曲げ力を付与した際、前記リブ１０の補強作用によって、図２（イ）に示すように、ひねり部８の連接板部８ｂで曲がることなく、曲げ部７で曲がるようになされていると共に、ひねり部８と曲げ部７とを挟む両側に力を加えてひねり力を付与した際、図２（ロ）に示すように、曲げ部７でひねられることなく、ひねり部８でひねられるようになされている。
【００２２】
取付け部２は、取付け用の折返し状引掛け部５と、取付け孔６，６を備えたものからなっている。
【００２３】
断熱材固定部３は、幅方向の中央部において長さ方向に延ばされ、先端部で外方に開かれた線状切欠き部１１を挟む各側の脚部１２，１２で構成されており、これら脚部１２，１２を異なる方向に曲げて断熱材の正面側に沿わせることができるようになされている。各脚部１２，１２の基端部には、長孔による曲げ用の強度劣弱部１３，１３が設けられ、また、脚部１２，１２を曲げる際に、金物１の中間部４が曲がってしまわないよう、中間部４は、その幅方向中央部に長さ方向に延びる補強リブ１０が設けられて補強されている。ひねり部８の連接板部８ｂに設けられた曲げ阻止用の補強リブ１０と、この補強リブ１０とは連続一体のものとして設けられている。
【００２４】
上記の断熱材固定金物１では、図３（イ）に示すように、左右の断熱材１５，１５の背面側に備えられる下地材が上向き開放の水平な溝形鋼１６からなっている場合は、断熱材固定金物１は、ひねり部８でのひねりと曲げ部７での曲げとを行って、取付け部２の折返し状引掛け部５を溝形鋼１６の一方の側壁１６ａに引っ掛けた状態にすることで、下地材１６に取り付けることができ、垂直な中間部４を左右の断熱材１５，１５間に通した状態にし、断熱材固定部３の脚部１２，１２を左右方向に開脚して各断熱材１５，１５の正面側に沿わせるようにすれば、左右の断熱材１５，１５を固定状態にすることができる。
【００２５】
また、図３（ロ）に示すように、下地材が、上向き開放の水平なリップ付き溝形鋼１７からなっている場合は、断熱材固定金物１は、ひねり部８でのひねりを行って、取付け部２の折返し状引掛け部５をリップ付き溝形鋼１７の一方のリップ１７ａに引っ掛けた状態にすることで、下地材１７に取り付けることができ、上記と同様に、左右の断熱材を固定状態にすることができる。
【００２６】
また、図３（ハ）に示すように、下地材が、水平な木材１８からなっている場合は、断熱材固定金物１は、ひねり部８でのひねりと曲げ部７での曲げを行って、取付け部２の取付け孔６，６（図３（ロ）参照）を通じて木材１８にビス１９，１９を打ち込むことで、下地材１８に取り付けることができ、上記と同様に、左右の断熱材を固定状態にすることができる。
【００２７】
もちろん、下地材が斜材や垂直材からなる場合であっても、断熱材固定金物１は、ひねり部８でのひねりと、そのひねりの程度、曲げ部７での曲げと、その曲げの程度を組み合わせることによって、そのような下地材への取付けを行うことができ、また、左右の断熱材に限らず、上下の断熱材であっても固定することができる。なお、ひねりや曲げは、人手により行うことができるようになっていてもよいし、機械や工具等により行うようになっていてもよい。
【００２８】
このように、上記の断熱材固定金物１では、取付け部２と中間部４との間に、ひねり部８と曲げ部７とが隣り合わせ状態に備えられているので、金物１をひねり部８でひねったり、曲げ部７で曲げることにより、取付け部２を、断熱材１５を沿わせる背面側の下地材の種類や向きに応じた姿勢状態にして下地材に取り付けることができ、一種類で複数の異なりに対応することができて、断熱材を固定する金物のコストを低く抑えることができる。
【００２９】
しかも、ひねり部８と曲げ部７とを挟む両側に力を加えて曲げ力を付与した際、リブ１０の補強作用によって、ひねり部８の連接板部８ｂで曲がることなく、曲げ部７で曲がるようになされており、また、ひねり部８と曲げ部７とを挟む両側に力を加えてひねり力を付与した際、曲げ部７でひねられることなく、ひねり部８でひねられるようになされているので、曲げ部７とひねり部８とを隣り合わせ状態に備えたものでありながら、曲げ部７での曲げとひねり部８でのひねりを容易、確実に行うことができ、上記のような複数種類の異なりへの対応を容易にすることができる。
【００３０】
特に、本実施形態では、曲げ部７を構成している線状の強度劣弱部が、金属プレートの幅方向の両側部において閉じられた孔７ａ…の列からなっているので、ひねり部８と曲げ部７とを挟む両側に力を加えてひねり力を付与した際、曲げ部７においてひねられてしまうのを構造的に確実に防ぐことができる。
【００３１】
また、本実施形態では、断熱材固定部３が、帯板状の金属プレートの幅方向の中央部において該プレートの長さ方向に延ばされ、先端部で外方に開かれた線状切欠き部１１を挟む各側の脚部１２，１２で構成され、これら脚部１２，１２を異なる方向に曲げて断熱材の正面側に沿わせることで断熱材を固定するようになされたものからなっているので、脚部１２，１２を異なる方向に曲げて断熱材の正面側に沿わせるようにするだけで隣り合う断熱材を固定でき、断熱材１５の固定を容易にしかも能率良く行っていくことができる。また、脚部１２，１２を異なる方向に曲げる前に、下地材への断熱材１５の設置を行うことができ、断熱材１５，１５の設置を断熱材固定部３に妨げられることなく容易に行うことができる。
【００３２】
以上に、本発明の実施形態を示したが、本発明はこれに限られるものではなく、発明思想を逸脱しない範囲で各種の変更が可能である。例えば、上記の実施形態では、曲げ部７を構成する線状の強度劣弱部が金属プレートの幅方向の両側部において閉じられた孔７ａ…の列からなっている場合を示したが、図１（ホ）に示すように、帯板状の金属プレートの幅方向の両側部において閉じられた１本のスリット孔７ｂからなっていてもよく、また、第１〜第５発明では、ひねり部と曲げ部とを挟む両側に力を加えてひねり力を付与した際、曲げ部でひねられることなく、ひねり部でひねられるような、各種の線状強度劣弱部で構成されていてよく、その場合に、帯板状の金属プレートの幅方向の両側部において閉じられているかいないかは問わない。
【００３３】
また、上記の実施形態では、ひねり部８が、対のスリット状切欠き部８ａ，８ａで形成されている場合を示したが、湾状などの非スリット状の対の切欠き部で形成されていてもよいし、対の切込み部で形成されていてもよい。
【００３４】
また、上記の実施形態では、断熱材固定部３として、幅方向の中央部の線状切欠き部１１で対の脚部１２，１２が形成されたものを採用した場合を示したが、第４発明では、切欠き部１１に代えて、切込み部で両脚を形成してもよいし、線状切欠き部や切込み部が幅方向に複数本形成されて３つ以上の脚部が形成されたものであってよいし、第４発明を除く第１〜第３発明では、その他の形態からなる断熱材固定部が備えられていてもよい。
【００３５】
更に、上記の実施形態では、金物が断熱材固定金物からなる場合を示したが、第４、第５発明の金物は、ひねり部と曲げ部とを隣り合わせ状態に備える各種金物に広く適用することができる。
【図面の簡単な説明】
【００３６】
【図１】実施形態の金物を示すもので、図（イ）は全体斜視図、図（ロ）は平面図、図（ハ）は正面図、図（ニ）は曲げ部とひねり部の部分の要部平面図、図（ホ）は曲げ部の他の実施形態を示す要部平面図である。
【図２】図（イ）は曲げの方法を示す斜視図、図（ロ）はひねりの方法を示す斜視図である。
【図３】図（イ）〜図（ハ）は、各種下地材への金物の取付け状態と、断熱材の固定状態を示す一部断面斜視図である。
【符号の説明】
【００３７】
１…断熱材固定金物（金物）
２…取付け部
３…断熱材固定部
４…中間部
５…折返し状引掛け部
６…取付け孔
７…曲げ部
８…ひねり部
１０…補強リブ
１２…脚部（各側）
【図１】
2008144460.tif 000003
【図２】
2008144460.tif 000004
【図３】
2008144460.tif 000005